(57)【要約】【課題】番組情報取得装置において、番組情報を取得する機器の消費電力を低減する。【解決手段】ＴＶ受像機とＨＤＲとは、それぞれＨＤＭＩに対応した機器であり、ＨＤＭＩケーブルを介して相互に接続されている。ＴＶ受像機は、放送局から配信される番組情報の内容が変更されたか否かを監視する番組情報監視モードで動作し、ＨＤＲは、ＣＥＣコマンドの受信を待ち受けると共に、チューナやデコーダの電源をオフにする受信待機モードで動作している。ＴＶ受像機は、取得した番組情報の内容が変更されたと判断したとき（Ｓ１２でＹＥＳ）、ＨＤＲに、番組情報が変更されている旨を通知するＣＥＣコマンドを送信する（Ｓ１３）。このＣＥＣコマンドを受信したＨＤＲは、動作モードを通常動作モードに切り替えて、すなわち、電源をオン状態にして（Ｓ１４）、番組情報を取得する（Ｓ１５）。【選択図】図５
2012090137.tif 000002
【特許請求の範囲】
【請求項１】
制御プロトコルに基づく制御コマンドを送受信するのに必要な外部機器側インタフェース部及び外部機器側制御部と、放送局から配信されるテレビジョン番組についての番組情報を取得するためのチューナ部及びデコーダ部とを有する外部機器と接続され、
前記外部機器に対して、前記制御コマンドの送受信を行うコマンド送受信用インタフェースと、
放送局から配信されるテレビジョン番組についての番組情報を取得する番組情報取得手段と、
前記番組情報取得手段を用いて取得した番組情報の内容と、前回取得した番組情報の内容とを比較して、番組情報の内容が変更されたか否かを判断する番組情報変更判断手段と、
装置各部を制御する制御手段とを備える番組情報取得装置において、
前記外部機器は、前記チューナ部及び前記デコーダ部の電源をオフにし、前記外部機器側インタフェース部及び前記外部機器側制御部の電源をオンにして待機を行う動作モードである受信待機モードを有し、
前記制御手段は、前記番組情報変更判断手段によって番組情報の内容が変更されたと判断されたとき、前記コマンド送受信用インタフェースを用いて、前記受信待機モードで動作している前記外部機器に、番組情報が変更されている旨を通知する制御コマンドを送信することを特徴とする番組情報取得装置。
【請求項２】
前記コマンド送受信用インタフェースには、前記制御コマンドに加えて、映像信号の送受信も可能な伝送ケーブルが接続され、
前記伝送ケーブルを介して前記外部機器と接続されることを特徴とする請求項１に記載の番組情報取得装置。
【請求項３】
前記家電制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）であり、
前記伝送ケーブルは、ＨＤＭＩケーブルであることを特徴とする請求項２に記載の番組情報取得装置。
【発明の詳細な説明】
【技術分野】
【０００１】
本発明は、テレビジョン番組についての番組情報を取得可能な番組情報取得装置に関する。
【背景技術】
【０００２】
従来から、テレビジョン（以下、ＴＶという）番組についての番組情報を取得可能なＴＶ受像機が知られている。この種のＴＶ受像機は、番組情報を取得するために電源をオンにした状態で、前回取得した番組情報の内容が変更されたか否かを監視し、番組情報の内容が変更されたと判断したとき、新しい番組情報を取得するものである。
【０００３】
ところで、近年、例えば、ＴＶ受信機や、ハードディスクレコーダー（以下、ＨＤＲ）等の複数のＡＶ機器が接続されたネットワークシステムが知られている。この種のネットワークシステムは、ＨＤＲで再生された映像をＴＶ受像機に表示でき、ＴＶ受像機からＨＤＲを操作できる。ＴＶ受像機及びＨＤＲが、それぞれ番組情報を取得可能な場合、ＴＶ受像機及びＨＤＲは、それぞれチューナやデコーダの電源をオンにした状態で番組情報の内容の変更を監視し、番組情報の内容が変更された場合、新しい番組情報を取得する。従って、番組情報を取得する際に、ＴＶ受像機及びＨＤＲの両方がチューナやデコーダの電源をオンにした状態である必要があり、消費電力を抑制できないという問題がある。
【０００４】
これに対して、特許文献１には、ＴＶ放送を受信可能な複数の端末装置がＬＡＮを介して相互に接続され、この端末装置が他の端末装置を監視する監視処理を有し、端末装置の１台に故障が発生しても、他の端末装置にて処理を代行させ、システム全体として機能を停止させることなく継続して稼動可能なＴＶ放送録画システムが開示されている。しかしながら、このシステムは、番組情報を取得するものではないため、上記問題を解決できない。
【０００５】
また、特許文献２には、ＨＤＭＩインタフェースを通じて複数の録画再生装置から録画番組情報を取得した後、これらの録画番組情報を編集して映像表示部に表示し、ユーザによる録画番組の選択に応じて、ＣＥＣラインを通じて対応する録画再生装置に指示を行うＴＶ受像機が開示されている。しかしながら、このＴＶ受像機であっても、上記問題を解決できない。
【先行技術文献】
【特許文献】
【０００６】
【特許文献１】特開２００７−３３５９７９号公報
【特許文献２】特開２００８−７８９６１号公報
【発明の概要】
【発明が解決しようとする課題】
【０００７】
本発明は、上述した問題点を解決するためになされたものであり、番組情報を取得する機器の消費電力を低減できる番組情報取得装置を提供することを目的とする。
【課題を解決するための手段】
【０００８】
上記目的を達成するために請求項１の発明は、制御プロトコルに基づく制御コマンドを送受信するのに必要な外部機器側インタフェース部及び外部機器側制御部と、放送局から配信されるテレビジョン番組についての番組情報を取得するためのチューナ部及びデコーダ部とを有する外部機器と接続され、前記外部機器に対して、前記制御コマンドの送受信を行うコマンド送受信用インタフェースと、放送局から配信されるテレビジョン番組についての番組情報を取得する番組情報取得手段と、前記番組情報取得手段を用いて取得した番組情報の内容と、前回取得した番組情報の内容とを比較して、番組情報の内容が変更されたか否かを判断する番組情報変更判断手段と、装置各部を制御する制御手段とを備える番組情報取得装置において、前記外部機器は、前記チューナ部及び前記デコーダ部の電源をオフにし、前記外部機器側インタフェース部及び前記外部機器側制御部の電源をオンにして待機を行う動作モードである受信待機モードを有し、前記制御手段は、前記番組情報変更判断手段によって番組情報の内容が変更されたと判断されたとき、前記コマンド送受信用インタフェースを用いて、前記受信待機モードで動作している前記外部機器に、番組情報が変更されている旨を通知する制御コマンドを送信するものである。
【０００９】
また、請求項２の発明は、請求項１に記載の番組情報取得装置において、前記コマンド送受信用インタフェースには、前記制御コマンドに加えて、映像信号の送受信も可能な伝送ケーブルが接続され、前記伝送ケーブルを介して前記外部機器と接続されるものである。
【００１０】
また、請求項３の発明は、請求項２に記載の番組情報取得装置において、前記家電制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）であり、前記伝送ケーブルは、ＨＤＭＩケーブルである。
【発明の効果】
【００１１】
本発明によれば、番組情報の内容が変更されたと判断されたとき、コマンド送受信用インタフェースを用いて、受信待機モードで動作している外部機器に、番組情報が変更されている旨を通知する制御コマンドを送信する。そのため、外部機器は、番組情報を取得する際に、番組情報の内容が変更されたか否かを判断するためにチューナ部やデコーダ部の電源をオンにする必要がないので、番組情報を取得する際の外部機器の消費電量を低減させることができる。
【図面の簡単な説明】
【００１２】
【図１】本発明の一実施形態に係るＴＶ受像機と、このＴＶ受像機に接続されたＨＤＲとを含むネットワークシステムを示す斜視図。
【図２】上記ＴＶ受像機の内部構成を示すブロック図。
【図３】上記ＨＤＲの内部構成を示すブロック図。
【図４】上記ネットワークシステムにおける動作モードの制御処理の手順を示すフローチャート。
【図５】上記ネットワークシステムにおける番組情報の変更通知処理の手順を示すフローチャート。
【図６】上記ネットワークシステムにおける別の一例を示すブロック図。
【発明を実施するための形態】
【００１３】
以下、本発明の一実施形態に係るテレビジョン受像機（請求項における番組情報取得装置）について、図１乃至図３を参照して説明する。図１は、テレビジョン（以下、ＴＶという）受像機２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル（伝送ケーブル）４を介して接続されたハードディスクレコーダ（以下、ＨＤＲという；請求項における外部機器）３とを含むネットワークシステム１００の概略構成を示す。図２は、ＴＶ受像機２の内部構成を示し、図３は、ＨＤＲ３の内部構成を示す。
【００１４】
ＴＶ受像機２、及びＨＤＲ３は、いずれもＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００１５】
ＨＤＭＩケーブル４は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送する伝送ラインであるＣＥＣラインとを含むものである。
【００１６】
ＴＶ受像機２は、図２に示すように、アンテナ２１に接続され、デジタル放送信号を受信するチューナ部２２と、デコーダ部２３と、映像を表示するディスプレイ２４と、音声を出力するスピーカ２５と、ユーザによって操作される複数のボタンを有する操作部２６とを備える。また、ＴＶ受像機２は、ＨＤＭＩに対応した外部機器を接続するためのＨＤＭＩ端子部（コマンド送受信用インタフェース）２７と、各種情報を記憶したメモリ２８と、装置各部を制御するための制御用マイコン（制御手段）２９とをさらに備える。
【００１７】
チューナ部２２は、アンテナ２１を介して、放送局から配信される各チャンネルのデジタル放送信号を受信する。デジタル放送信号には、ＴＶ番組の映像信号及び音声信号と、配信されるＴＶ番組の放送開始時間や放送終了時間、ジャンル、番組タイトル、及び出演者等の番組情報とが含まれている。
【００１８】
デコーダ部２３は、チューナ部２２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００１９】
映像デコード回路は、映像信号を含むＴＳパケットに対して復号化処理を行い、映像信号を抽出し、抽出した映像信号を制御用マイコン２９に出力する。音声デコード回路は、音声信号を含むＴＳパケットに対して復号化処理を行い、音声信号を抽出し、抽出した音声信号を制御用マイコン２９に出力する。
【００２０】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン２９に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２１】
ディスプレイ２４は、チューナ部２２によって受信されたＴＶ番組の映像や、ＨＤＲ３から供給された映像を表示する。スピーカ２５は、チューナ部２２によって受信されたＴＶ番組の音声や、ＨＤＲ３から供給された音声を出力する。
【００２２】
ＨＤＭＩ端子部２７には、ＨＤＲ３と接続されたＨＤＭＩケーブル４の一端が接続されている。メモリ２８は、制御用マイコン２９を動作させるためのプログラム２８ａと、番組情報２８ｂとを記憶している。
【００２３】
プログラム２８ａには、制御用マイコン２９に所定の動作を行わせるための、通常動作モード２０ａ、番組情報監視モード２０ｂ、及び受信待機モード２０ｃの制御モジュールが格納されている。
【００２４】
制御用マイコン２９は、映像出力部２９ａと、音声出力部２９ｂと、番組情報取得部（番組情報取得手段）２９ｃと、番組情報判断部（番組情報変更判断手段）２９ｄと、ＨＤＭＩ通信制御部２９ｅと、動作モード切替部２９ｆとを有し、ユーザによる操作部２６の操作に基づいて自装置の制御処理を行う。
【００２５】
制御用マイコン２９は、通常動作モード、番組情報監視モード、及び受信待機モード等の複数の動作モードを有する。ユーザは、操作部２６を操作することにより、各動作モードを選択可能である。通常動作モードは、ディスプレイ２４上にチューナ部２２によって受信されたＴＶ番組、及びＨＤＲ３から供給されたＴＶ番組の出力や、番組情報の取得を行う動作モードである。
【００２６】
番組情報監視モードは、放送局から配信される番組情報の内容が変更されたか否かを監視して、変更されたと判断した場合、新しい番組情報を取得すると共に、ＨＤＲ３に番組情報が変更された旨を通知する動作モードである。
【００２７】
受信待機モードは、ＨＤＭＩ端子部２７、制御用マイコン２９、操作部２６、及びメモリ２８の電源をオンにしてＣＥＣコマンドの受信を待ち受けると共に、チューナ部２２、デコーダ部２３、ディスプレイ２４、及びスピーカ２５の電源をオフにする動作モードである。すなわち、本動作モードでは、ＣＥＣコマンドの受信はできるが、チューナ部２２及びデコーダ部２３を用いて番組情報の取得を行うことはできない。
【００２８】
映像出力部２９ａは、デコーダ部２３から受信したＴＶ番組の映像信号や、ＨＤＲ３から供給された映像信号をディスプレイ２４に出力する。音声出力部２９ｂは、デコーダ部２３から受信したＴＶ番組の音声信号や、ＨＤＲ３から供給された音声信号をスピーカ２５に出力する。
【００２９】
番組情報取得部２９ｃは、デコーダ部２３から受信したＥＩＴに基づき、番組タイトルや放送開始時間等のＴＶ番組の番組情報を取得して、メモリ２８の番組情報２８ｂに格納する。
【００３０】
番組情報判断部２９ｄは、デコーダ部２３から受信したＥＩＴに基づく番組情報の内容と、前回取得した番組情報２８ｂの内容とを比較して、放送局から配信される番組情報の内容が変更されたか否かを判断する。
【００３１】
ＨＤＭＩ通信制御部２９ｅは、ＨＤＲ３に対して、ＨＤＭＩ−ＣＥＣに基づくＣＥＣコマンド及びレスポンスデータの送受信や、ＨＤＲ３から送信された映像信号及び音声信号の受信を行う処理をする。ＣＥＣコマンドには、ＨＤＲ３に対して、再生、停止、早送り、及び巻戻し等を指示するものや、ＨＤＲ３に対して、番組情報の内容が変更されている旨の通知や、現在の動作モードを通知するものがある。
【００３２】
動作モード切替部２９ｆは、ユーザによる操作部２６の操作に基づいて、ＴＶ受像機２の動作モードを、通常動作モード、番組情報監視モード、又は受信待機モード等に切り替える。
【００３３】
ＨＤＲ３は、図３に示すように、アンテナ３１に接続され、デジタル放送信号を受信するチューナ部３２と、デコーダ部３３と、ユーザによって操作される複数のボタンを有する操作部３４と、ＨＤＭＩ規格に対応した外部機器を接続するためのＨＤＭＩ端子部（外部機器側インタフェース部）３５とを備える。また、ＨＤＲ３は、各種情報を記憶したメモリ３６と、チューナ部３２によって受信されたＴＶ番組を録画するハードディスク（以下、ＨＤＤという）３７と、ＨＤＤ３７に対するＴＶ番組の書き込みや読み出しを行うアクセス部３８と、装置各部を制御するための制御用マイコン３９とをさらに備える。
【００３４】
チューナ部３２は、アンテナ３１を介して、放送局から配信される各チャンネルのデジタル放送信号を受信する。デジタル放送信号には、ＴＶ番組の映像信号及び音声信号と、配信されるＴＶ番組の番組情報とが含まれている。
【００３５】
デコーダ部３３は、チューナ部３２によって受信されたデジタル放送信号に対して復調処理や誤り訂正処理等を行って、多重化された信号から必要なＴＳパケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００３６】
映像デコード回路は、映像信号を含むＴＳパケットに対して復号化処理を行い、映像信号を抽出し、抽出した映像信号を制御用マイコン３９に出力する。音声デコード回路は、音声信号を含むＴＳパケットに対して復号化処理を行い、音声信号を抽出し、抽出した音声信号を制御用マイコン３９に出力する。データデコード回路は、ＳＩデータを含むＴＳパケットに対して復号化処理を行い、ＳＩデータを抽出し、抽出したＳＩデータを制御用マイコン３９に出力する。
【００３７】
ＨＤＭＩ端子部３５には、ＴＶ受像機２と接続されたＨＤＭＩケーブル４の他端が接続されている。メモリ３６は、制御用マイコン３９を動作させるためのプログラム３６ａと、番組情報３６ｂとを記憶している。
【００３８】
プログラム３６ａには、制御用マイコン３９に所定の動作を行わせるための、通常動作モード３０ａ、番組情報監視モード３０ｂ、及び受信待機モード３０ｃの制御モジュールが格納されている。
【００３９】
制御用マイコン３９は、再生制御部３９ａと、録画制御部３９ｂと、番組情報取得部３９ｃと、番組情報判断部３９ｄと、ＨＤＭＩ通信制御部（外部機器側制御部）３９ｅと、動作モード切替部３９ｆとを有し、ユーザによる操作部３４の操作に基づいてＨＤＲ３の制御処理を行う。
【００４０】
制御用マイコン３９は、通常動作モードや、番組情報監視モードや、受信待機モード等の複数の動作モードを有する。ユーザは、操作部３４を操作することにより、各動作モードを選択可能である。
【００４１】
通常動作モードは、ユーザによって指定されたＴＶ番組の録画、及びＨＤＤ３７から読出したＴＶ番組の再生や、番組情報の取得を行う動作モードである。
【００４２】
番組情報監視モードは、放送局から配信される番組情報の内容が変更されたか否かを監視して、変更されたと判断した場合、新しい番組情報を取得すると共に、ＴＶ受像機２に番組情報が変更された旨を通知する動作モードである。
【００４３】
受信待機モードは、ＨＤＭＩ端子部３５、制御用マイコン３９、操作部３４、及びメモリ３６の電源をオンにしてＣＥＣコマンドの受信を待ち受けると共に、チューナ部３２、デコーダ部３３、及びアクセス部３８の電源をオフにする動作モードである。すなわち、本動作モードでは、ＣＥＣコマンドの受信はできるが、チューナ部３２及びデコーダ部３３を用いて番組情報の取得を行うことはできない。
【００４４】
再生制御部３９ａは、アクセス部３８によってＨＤＤ３７から読み出されたコンテンツの再生を行い、再生されたコンテンツの映像信号及び音声信号を、ＨＤＭＩケーブル４を介してＴＶ受像機２に出力する処理を行う。
【００４５】
録画制御部３９ｂは、ユーザによる録画指示に基づき、チューナ部３２によって受信したＴＶ番組を、アクセス部３８を用いてＨＤＤ３７に録画する処理を行う。
【００４６】
番組情報取得部３９ｃは、デコーダ部３３から受信したＥＩＴに基づき、番組タイトルや放送開始時間等のＴＶ番組の番組情報を取得して、メモリ３６の番組情報３６ｂに格納する。
【００４７】
番組情報判断部２９ｄは、デコーダ部３３から受信したＥＩＴに基づく番組情報の内容と、前回取得した番組情報３６ｂの内容とを比較して、放送局から配信される番組情報の内容が変更されたか否かを判断する。
【００４８】
ＨＤＭＩ通信制御部３９ｅは、ＴＶ受像機２に対して、ＨＤＭＩ−ＣＥＣ規格に基づくＣＥＣコマンド及びレスポンスデータの送受信や、コンテンツの映像信号及び音声信号の送信を行う処理をする。ＣＥＣコマンドには、ＴＶ受像機２に対して、番組情報の内容が変更されている旨を通知するものや、現在の動作モードを通知するものがある。
【００４９】
動作モード切替部３９ｆは、ユーザによる操作部３４の操作に基づいて、ＨＤＲ３の動作モードを、通常動作モード、番組情報監視モード、又は受信待機モード等に切り替える。
【００５０】
次に、ネットワークシステム１００における動作モードの制御処理の手順について、図４に示すフローチャートを参照して説明する。
【００５１】
ＴＶ受像機２とＨＤＲ３とは、自装置の動作モードを通知するＣＥＣコマンドを相互に送信して、互いの動作モードを判断する（Ｓ１）。ＴＶ受像機２とＨＤＲ３とが、いずれも受信待機モードで動作している場合（Ｓ２でＹＥＳ）、ＴＶ受像機２が、動作モードを番組情報監視モードに切り替えて動作する（Ｓ３）。なお、ＴＶ受像機２とＨＤＲ３とが、いずれも受信待機モードで動作している場合、ＨＤＲ３が、動作モードを番組情報監視モードに切り替えて動作してもよく、ＴＶ受像機２及びＨＤＲ３のいずれかが、番組情報監視モードで動作していればよい。
【００５２】
次に、番組情報の変更通知処理について、図５に示すフローチャートを参照して説明する。ここでは、ＴＶ受像機２が番組情報監視モードで動作し、ＨＤＲ３が受信待機モードで動作しているものとする。
【００５３】
まず、ＴＶ受像機２は、番組情報判断部２９ｄを用いて、取得した番組情報の内容と、前回取得した番組情報２８ｂの内容とを比較して、番組情報の内容が変更されたか否かを判断する（Ｓ１１）。この判断の結果、番組情報の内容が変更されたと判断されたとき（Ｓ１２でＹＥＳ）、ＴＶ受像機２は、ＨＤＭＩ通信制御部２９ｅ及びＨＤＭＩ端子部２７を用いて、ＨＤＲ３に、番組情報が変更されている旨を通知するＣＥＣコマンドを送信する（Ｓ１３）。
【００５４】
上記Ｓ１３で送信されたＣＥＣコマンドを受信したＨＤＲ３は、動作モードを通常動作モードに切り替えて、すなわち、電源をオン状態にして（Ｓ１４）、番組情報を取得する（Ｓ１５）。なお、ＨＤＲ３は、Ｓ１３で送信されたＣＥＣコマンドを受信したとき、動作モードを番組情報監視モードに切り替えて、番組情報を取得してもよい。
【００５５】
上述したように、本実施形態に係るＴＶ受像機２においては、番組情報の内容が変更されたと判断されたとき、ＨＤＭＩ通信制御部２９ｅ及びＨＤＭＩ端子部２７を用いて、受信待機モードで動作しているＨＤＲ３に、番組情報が変更されている旨を通知するＣＥＣコマンドを送信する。そのため、ＨＤＲ３は、番組情報を取得する際に、番組情報の内容が変更されたか否かを判断するためにチューナ部３２やデコーダ部３３の電源をオンにする必要がないので、ＨＤＲ３は番組情報を取得する際の消費電量を低減させることができる。
【００５６】
また、ＴＶ受像機２とＨＤＲ３とは、ＨＤＭＩ−ＣＥＣに従ったＣＥＣコマンドの送受信を行うので、独自プロトコルに対応した専用機器や専用ソフトウェア等の導入コストをかける必要がない。従って、ＴＶ受像機２とＨＤＲ３との製造コストを抑制することができる。
【００５７】
なお、本発明は、上記実施形態の構成に限られず、発明の趣旨を変更しない範囲で種々の変形が可能である。例えば、上記実施形態において、ＴＶ受像機とＨＤＲとがＨＤＭＩケーブルを介して接続される例を示したが、これに限られず、ＬＡＮケーブルや、無線ＬＡＮ、ブルートゥース等の無線ネットワークを介して接続されてもよい。また、ＴＶ受像機及びＨＤＲは、インターネット等を介して番組情報を取得してもよい。
【００５８】
また、上記実施形態においては、番組情報の内容に変更があった場合に、番組情報の変更を通知する例を示したが、これに限られず、例えば、特定の時間帯や特定のＴＶ番組に関する番組情報の内容に変更があったときにのみ、番組情報の変更を通知するものであってもよい。その場合、不要な番組情報の変化が通知されないので、ＨＤＲの番組情報の取得の際の消費電力をさらに低減できる。
【００５９】
また、上記実施形態に係るＴＶ受像機は、ＨＤＲと接続するためのＨＤＭＩ端子部を複数個有し、図６に示すように、複数のＨＤＲ（ここでは３台のＨＤＲ）と接続されていてもよい。その場合、ＴＶ受像機が番組情報監視モードで動作し、複数のＨＤＲがそれぞれ受信待機モードで動作することにより、ＴＶ受像機が複数のＨＤＲに番組情報の内容の変更を通知する。従って、複数のＨＤＲのそれぞれは、番組情報の内容が変更されたか否かを判断するためにチューナ部やデコーダ部の電源をオンにする必要がないので、消費電力を低減できる。
【００６０】
また、上記実施形態では、請求項に示す番組取得装置がＴＶ受像機である例を示したが、制御コマンドを送受信可能であり、番組情報を取得可能なＡＶ機器であればよい。また、外部機器がＨＤＲである例を示したが、制御コマンドを送受信可能であり、番組情報を取得可能なＡＶ機器であればよい。
【符号の説明】
【００６１】
２  ＴＶ受像機（番組情報取得装置）  
３  ＨＤＲ（外部機器）
４  ＨＤＭＩケーブル（伝送ケーブル）
２７ＨＤＭＩ端子部（コマンド送受信用インタフェース）
２９  制御用マイコン（制御手段）
３２  チューナ部
３３  デコーダ部
３５  ＨＤＭＩ端子部（外部機器側インタフェース部）
２９ｃ  番組情報取得部（番組情報取得手段）
２９ｄ  番組情報判断部（番組情報変更判断手段）
３９ｄ  ＨＤＭＩ通信制御部（外部機器側制御部）
【図１】
2012090137.tif 000003
【図２】
2012090137.tif 000004
【図３】
2012090137.tif 000005
【図４】
2012090137.tif 000006
【図５】
2012090137.tif 000007
【図６】
2012090137.tif 000008